(57)【特許請求の範囲】
【請求項１】
第一方向で並ぶ複数の蓄電素子を含む蓄電素子群と、
該蓄電素子群を保持する保持部材と、を備え、
該保持部材は、
前記第一方向において蓄電素子群の両端に配置されている二つの蓄電素子の間に配置されている複数の蓄電素子のうちの一部の蓄電素子の表面に沿うようにして、前記第一方向と、前記蓄電素子のケースの外面のうち外部端子が配置された一面と該一面とは反対側の一面を構成する閉塞部とが並ぶ方向とのそれぞれの方向に対して直交する第二方向で延出する一対の支持部であって、
前記第二方向で対向するようにして前記第二方向における前記一部の蓄電素子の一方側と他方側とに設けられ、且つ前記一部の蓄電素子の前記閉塞部に対して、前記ケースの前記一面と前記閉塞部とが並ぶ方向である第三方向の外側から絶縁部を介して支持する一対の支持部を少なくとも一組有する、
蓄電装置。
【請求項２】
前記支持部は、前記蓄電素子に向けて凸となる、
請求項１に記載の蓄電装置。
【請求項３】
前記支持部は、剛性を有する、
請求項１又は２に記載の蓄電装置。
【請求項４】
前記支持部は、前記蓄電素子群に含まれる蓄電素子のうち、前記第一方向における中央部に配置されている蓄電素子を支持する、
請求項１乃至請求項３のいずれか１項に記載の蓄電装置。
【請求項５】
前記保持部材は、
前記第一方向における蓄電素子群の両端を直接的または間接的に挟み込む一対の終端部材と、
該一対の終端部材のそれぞれを連結するフレームと、を有し、
前記支持部は、前記フレームに形成される、
請求項１乃至請求項４のいずれか１項に記載の蓄電装置。
【請求項６】
前記フレームは、前記第一方向で長手をなす接続部を有し、
前記支持部は、前記第一方向と直交する第二方向に前記接続部から延出する、
請求項５に記載の蓄電装置。
【請求項７】
前記複数の蓄電素子のうちの前記第一方向で隣り合う蓄電素子の間に配置される内部スペーサを備え、
前記支持部は、前記内部スペーサを介して前記二つの蓄電素子を支持する、
請求項１乃至請求項６のいずれか１項に記載の蓄電装置。
【請求項８】
前記第一方向における前記支持部の長さは、前記第一方向における前記内部スペーサの長さよりも小さい、
請求項７に記載の蓄電装置。
【請求項９】
前記第一方向における前記支持部の長さは、前記第一方向における前記蓄電素子の長さよりも大きい、
請求項１乃至請求項８のいずれか１項に記載の蓄電装置。
【請求項１０】
前記支持部は、蓄電素子を押圧する、
請求項１乃至請求項９のいずれか１項に記載の蓄電装置。
【発明の詳細な説明】
【技術分野】
【０００１】
本発明は、蓄電素子を備える蓄電装置に関する。
【背景技術】
【０００２】
電気自動車又はハイブリット電気自動車では容量の大きな電源が必要なため、複数の蓄電素子を備えた蓄電装置が用いられる。この種の蓄電装置は、第一方向で並ぶ複数の蓄電素子を含む蓄電素子群と、該蓄電素子群を保持する保持部材と、を備える（例えば、特許文献１参照）。保持部材は、前記第一方向で蓄電素子群を直接的又は間接的に挟み込む一対の終端部材と、該一対の終端部材のそれぞれを連結するフレームと、を有する。
【０００３】
上記の蓄電装置では、第一方向における蓄電素子群の両端が一対の終端部材によって支持されている。そのため、上記の蓄電装置では、蓄電素子の数が増加すると、第一方向における蓄電素子群の全長が長くなる。従って、上記の蓄電装置では、第一方向における蓄電素子群の全長が長くなることによって、蓄電素子群の共振周波数が低下する場合がある。
【先行技術文献】
【特許文献】
【０００４】
【特許文献１】特開平９−７６７６９号公報
【発明の概要】
【発明が解決しようとする課題】
【０００５】
そこで、本発明は、上記問題に鑑み、蓄電素子群の共振周波数が低下することを抑えることができる蓄電装置を提供することを課題とする。
【課題を解決するための手段】
【０００６】
本発明に係る蓄電装置は、
第一方向で並ぶ複数の蓄電素子を含む蓄電素子群と、
該蓄電素子群を保持する保持部材と、を備え、
該保持部材は、
前記第一方向において蓄電素子群の両端に配置されている二つの蓄電素子の間に配置されている複数の蓄電素子のうちの一部の蓄電素子の表面に沿うようにして、前記第一方向と、前記蓄電素子のケースの外面のうち外部端子が配置された一面と該一面とは反対側の一面を構成する閉塞部とが並ぶ方向とのそれぞれの方向に対して直交する第二方向で延出する一対の支持部であって、
前記第二方向で対向するようにして前記第二方向における前記一部の蓄電素子の一方側と他方側とに設けられ、且つ前記一部の蓄電素子の前記閉塞部に対して、前記ケースの前記一面と前記閉塞部とが並ぶ方向である第三方向の外側から絶縁部を介して支持する一対の支持部を少なくとも一組有する。
【０００７】
かかる構成によれば、蓄電素子群は、保持部材によって支持される。そのため、蓄電装置では、蓄電素子の数が増加すると、第一方向における蓄電素子群の全長が長くなる。
【０００８】
その一方で、蓄電装置は、第一方向における蓄電素子群の両端に配置されている二つの蓄電素子の間に配置されている少なくとも一つの蓄電素子が保持部材の支持部によって支持される。そのため、上記構成の蓄電装置は、蓄電素子群を支持する部分の間隔を狭めることができる。従って、蓄電装置は、蓄電素子群の共振周波数を高めることができる。
【０００９】
なお、上記構成の蓄電装置において、支持部は、常に蓄電素子に直接的又は間接的に接触している必要はなく、蓄電素子群に振動が加わった場合に支持部が蓄電素子に直接的又は間接的に接触するように構成されていれば、支持部によって蓄電素子群の共振周波数を高めることができる。
【００１０】
本発明の一態様として、
前記支持部は、前記蓄電素子に向けて凸となる、
ようにしてもよい、
【００１１】
このようにすれば、支持部が蓄電素子に対して直接的又は間接的に接触し易くなる。そのため、蓄電装置は、より確実に蓄電素子を支持することができる。
【００１２】
この場合、
支持部は、剛性を有する、
ようにしてもよい。
【００１３】
このようにすれば、蓄電素子をより確実に支持することができる。従って、上記の蓄電装置は、蓄電素子群の共振周波数をより確実に高めることができる。
【００１４】
また、本発明の他態様として、
前記支持部は、前記蓄電素子群に含まれる蓄電素子のうち、前記第一方向における中央部に配置されている蓄電素子を支持する、
ようにしてもよい。
【００１５】
このようにすれば、蓄電素子群を支持している部分の間隔のそれぞれを均等又は略均等にすることができる。すなわち、支持部と第一方向における蓄電素子群の各端部との間隔を均等又は略均等にすることができる。従って、上記の蓄電装置は、蓄電素子群の共振周波数が局所的に変化することを防ぐことができる。
【００１６】
また、本発明の別の態様として、
前記保持部材は、
前記第一方向における蓄電素子群の両端を直接的または間接的に挟み込む一対の終端部材と、
該一対の終端部材のそれぞれを連結するフレームと、を有し、
前記支持部は、前記フレームに形成される、
ようにしてもよい。
【００１７】
この場合、
前記フレームは、前記第一方向で長手をなす接続部を有し、
前記支持部は、前記第一方向と直交する第二方向に前記接続部から延出する、
ようにしてもよい。
【００１８】
上記構成の蓄電装置は、第二方向で接続部から延出する部分を支持部としているため、簡単な構成で蓄電素子を支持することができる。
【００１９】
本発明のさらに別の態様として、
前記複数の蓄電素子のうちの前記第一方向で隣り合う蓄電素子の間に配置される内部スペーサを備え、
前記支持部は、該内部スペーサを介して前記二つの蓄電素子を支持する、
ようにしてもよい。
【００２０】
このようにすれば、一つの支持部によって二つの蓄電素子を支持することができるようになる。そのため、蓄電装置は、蓄電素子群の共振周波数をより確実に高めることができる。
【００２１】
この場合、
前記第一方向における前記支持部の長さは、前記第一方向における前記内部スペーサの長さよりも小さくなる、
ようにしてもよい。
【００２２】
本発明のさらに別の態様として、
前記第一方向における前記支持部の長さは、前記第一方向における前記蓄電素子の長さよりも大きくなる、
ようにしてもよい。
【００２３】
本発明のさらに別の態様として、
前記支持部は、蓄電素子を押圧する、
ようにしてもよい、
【００２４】
このようにすれば、支持部が蓄電素子に対して押圧力を作用させることで、該蓄電素子をより確実に支持することができる。従って、蓄電装置は、蓄電素子群の共振周波数をより高めることができる。
【発明の効果】
【００２５】
以上より、本発明によれば、蓄電素子群の共振周波数が低下することを抑えることができる蓄電装置を提供することができる。
【図面の簡単な説明】
【００２６】
【図１】図１は、本発明の一実施形態に係る蓄電装置の斜視図である。
【図２】図２は、同実施形態に係る蓄電装置に係る蓄電素子の斜視図である。
【図３】図３は、同実施形態に係る蓄電装置に係る蓄電素子の正面図である。
【図４】図４は、同実施形態に係る蓄電装置の斜視図である。
【図５】図５は、同実施形態に係る蓄電装置の内部スペーサ及び外部スペーサ及び蓄電素子の斜視図である。
【図６】図６は、同実施形態に係る蓄電装置の底面図である。
【図７】図７は、同実施形態に係る蓄電装置の断面図である。
【図８】図８は、同実施形態に係る蓄電装置の断面図である。
【図９】図９は、本発明の他の実施形態に係る蓄電装置の底面図である。
【発明を実施するための形態】
【００２７】
以下、本発明の蓄電装置の一実施形態について、図面を参照しつつ説明する。
【００２８】
蓄電装置は、図１に示すように、蓄電素子１と、該蓄電素子１に隣り合うスペーサ２と、蓄電素子１及びスペーサ２をひとまとめに保持する保持部材３とを備える。保持部材３は、導電材料により成形される。これに伴い、蓄電装置は、蓄電素子１と保持部材３との間に配置されるインシュレータ４を備える。
【００２９】
蓄電素子１は、図２及び図３に示すように、正極及び負極を含む電極体と、電極体を収容するケース１０と、ケース１０の外面上に配置された一対の外部端子１１とを備える。
【００３０】
ケース１０は、開口を有するケース本体１００と、ケース本体１００の開口を閉じる蓋板１０１であって、外面上に一対の外部端子１１が配置される蓋板１０１とを有する。
【００３１】
ケース本体１００は、閉塞部１００ａと（図３参照）、該閉塞部１００ａを取り囲むように、該閉塞部１００ａの周縁に接続された筒状の胴部１００ｂとを備える。
【００３２】
胴部１００ｂは、間隔をあけて互いに対向する一対の第一壁１００ｃと、一対の第一壁１００ｃを挟んで互いに対向する一対の第二壁１００ｄとを備える。
【００３３】
第一壁１００ｃ及び第二壁１００ｄのそれぞれは、矩形状に形成される。すなわち、第一壁１００ｃ及び第二壁１００ｄのそれぞれの表面は、平坦面であり、四角形状の領域とされている。第一壁１００ｃ及び第二壁１００ｄは、互いの端縁を突き合わせた状態で隣り合って配置される。これに伴い、隣り合う第一壁１００ｃの端縁及び第二壁１００ｄの端縁は、互いに全長に亘って接続される。これにより、胴部１００ｂは、角筒状に形成されている。胴部１００ｂの一端は、閉塞部１００ａによって閉塞されている。これに対し、胴部１００ｂの他端は、開口し、蓋板１０１によって閉塞される。
【００３４】
本実施形態において、第一壁１００ｃの表面積は、第二壁１００ｄの表面積よりも広くなっている。これに伴い、胴部１００ｂは、扁平角筒状に形成される。
【００３５】
本実施形態に係る蓄電装置は、複数の蓄電素子１を備える。複数の蓄電素子１のそれぞれは、第一方向で整列する。本実施形態において、複数の蓄電素子１のそれぞれは、ケース１０の第一壁１００ｃを一方向に向けて整列している。蓄電装置は、隣り合う二つの蓄電素子１の外部端子１１を互いに電気的に接続するバスバー（図示しない）を備える。
【００３６】
なお、以下の説明において、便宜上、蓄電素子１の整列する方向（第一方向）をＸ軸方向という。また、蓄電素子１の整列する方向（Ｘ軸方向）と直交する二軸方向のうちの一つの方向（第二方向）をＹ軸方向といい、残りの一つの方向（第三方向）をＺ軸方向ということとする。これに伴い、各図面には、Ｘ軸方向、Ｙ軸方向、及びＺ軸方向のそれぞれに対応する直交三軸（座標軸）が補助的に図示されている。
【００３７】
スペーサ２は、絶縁性を有する。スペーサ２は、蓄電素子１のケース１０（胴部１００ｂの第一壁１００ｃ）と隣り合うベースと、該ベースに隣り合う蓄電素子１の位置ずれを防止する規制部とを有する。また、スペーサ２は、隣り合う蓄電素子１のうちの少なくとも一方の閉塞部１００ａと対向する対向部を有する。
【００３８】
スペーサ２について、より具体的に説明する。蓄電装置は、上述のように、複数の蓄電素子１を備える。これに伴い、蓄電装置は、図４に示すように、２種類のスペーサ２（２Ａ，２Ｂ）を備える。すなわち、蓄電装置は、スペーサ２として、二つの蓄電素子１間に配置されるスペーサ（以下、内部スペーサという）２Ａと、複数の蓄電素子１のうちの最も端にある蓄電素子１に隣り合うスペーサ（以下、外部スペーサという）２Ｂとを備える。
【００３９】
まず、内部スペーサ２Ａについて説明する。内部スペーサ２Ａは、図５に示すように、蓄電素子１（ケース本体１００の第一壁１００ｃ）に隣り合うベース２０Ａと、該ベース２０Ａに隣り合う二つの蓄電素子１の位置ずれを防止する規制部２１Ａとを有する。さらに、内部スペーサ２Ａは、隣り合う蓄電素子１のうちの少なくとも一方の蓄電素子１の閉塞部１００ａと対向する対向部２２Ａを有する。
【００４０】
内部スペーサ２Ａのベース２０Ａは、二つの蓄電素子１に挟み込まれる。そのため、内部スペーサ２Ａのベース２０Ａは、隣り合う二つの蓄電素子１のうちの一方の蓄電素子１と対向する第一面と、該第一面とは反対側の第二面であって、二つの蓄電素子１のうちの他方の蓄電素子１と対向する第二面とを有する。
【００４１】
内部スペーサ２Ａのベース２０Ａは、蓄電素子１の蓋板１０１に対応する位置に配置される第一端と、該第一端とは反対側の第二端であって、蓄電素子１の閉塞部１００ａに対応する位置に配置される第二端とを有する。また、内部スペーサ２Ａのベース２０Ａは、蓄電素子１の一方の第二壁１００ｄに対応する位置に配置される第三端と、該第三端とは反対側の第四端であって、蓄電素子１の他方の第二壁１００ｄに対応する位置に配置される第四端とを有する。
【００４２】
内部スペーサ２Ａのベース２０Ａは、該ベース２０Ａの第一端と第三端とが接続される部分である第一角部と、第一端と第四端とが接続される部分である第二角部とを有する。また、内部スペーサ２Ａのベース２０Ａは、第二端と第三端とが接続される部分である第三角部と、第二端と第四端とのそれぞれが接続される部分である第四角部とを有する。
【００４３】
なお、内部スペーサ２Ａのベース２０Ａの第一端及び第二端は、Ｙ軸方向に延びる。そして、内部スペーサ２Ａのベース２０Ａの第三端及び第四端は、Ｚ軸方向に延びる。そのため、内部スペーサ２Ａのベース２０Ａは、略矩形状に形成される。また、内部スペーサ２Ａのベース２０Ａは、蓄電素子１の第一壁１００ｃと略同等の大きさで形成される。
【００４４】
本実施形態に係る蓄電装置において、内部スペーサ２Ａのベース２０Ａの第一面と蓄電素子１との間及び内部スペーサ２Ａのベース２０Ａの第二面と蓄電素子１との間の少なくとも何れか一方には、流体（冷却用の流体）を通過させるための通風路（採番号しない）が形成される。
【００４５】
本実施形態に係る蓄電素子１において、内部スペーサ２Ａのベース２０Ａは、矩形波形状に形成される。より具体的に説明する。内部スペーサ２Ａのベース２０Ａは、隣り合う二つの蓄電素子１のうちの一方の蓄電素子１のみに当接する第一当接部２００Ａと、隣り合う二つの蓄電素子１のうちの他方の蓄電素子１のみに当接する第二当接部２０１Ａとを有する。これに伴い、内部スペーサ２Ａのベース２０Ａは、第一当接部２００Ａと第二当接部２０１Ａとに繋がる連設部２０２Ａを有する。
【００４６】
第一当接部２００Ａは、Ｙ軸方向に長手をなしている。第二当接部２０１Ａは、Ｙ軸方向に長手をなしている。
【００４７】
内部スペーサ２Ａのベース２０Ａは、複数の第一当接部２００Ａと、複数の第二当接部２０１Ａとを有する。そして、各第一当接部２００Ａと各第二当接部２０１Ａとは、内部スペーサ２Ａのベース２０Ａの第一端と第二端とが並ぶ方向で交互に配置される。
【００４８】
これにより、蓄電装置では、第一当接部２００Ａにおける蓄電素子１と当接する面とは反対側の面と、第一当接部２００Ａに繋がる一対の連設部２０２Ａとによって、通風路が形成される。また、蓄電装置では、第二当接部２０１Ａにおける蓄電素子１と当接する面とは反対側の面と、第二当接部２０１Ａに繋がる一対の連設部２０２Ａとによって、通風路が形成される。従って、蓄電装置では、内部スペーサ２Ａのベース２０Ａの第一面と蓄電素子１との間、及び内部スペーサ２Ａのベース２０Ａの第二面と蓄電素子１との間のそれぞれに通風路が形成される。
【００４９】
上述のように、内部スペーサ２Ａは、隣り合う二つの蓄電素子１の間に配置される。そのため、規制部２１Ａは、内部スペーサ２Ａに隣り合う二つの蓄電素子１の相対移動を規制すべく、内部スペーサ２Ａのベース２０Ａの第一面に隣り合う蓄電素子１と、内部スペーサ２Ａのベース２０Ａの第二面に隣り合う蓄電素子１とに向かって延びる。
【００５０】
より具体的に説明する。規制部２１Ａは、内部スペーサ２Ａのベース２０Ａの各角部に形成される。内部スペーサ２Ａは、規制部２１Ａとして、第一角部に形成される第一規制部２１０Ａと、第二角部に形成される第二規制部２１１Ａと、第三角部に形成される第三規制部２１２Ａ、第四角部に形成される第四規制部２１３Ａとを有する。
【００５１】
第一規制部２１０Ａ及び第二規制部２１１Ａは、内部スペーサ２Ａのベース２０Ａの第一面に隣り合う蓄電素子１と、内部スペーサ２Ａのベース２０Ａの第二面に隣り合う蓄電素子１とに向かって延びる。
【００５２】
第一規制部２１０Ａは、内部スペーサ２Ａのベース２０Ａの両側に配置される蓄電素子１のそれぞれの蓋板１０１と胴部１００ｂの一方の第二壁１００ｄとに当接する。そして、第二規制部２１１Ａは、内部スペーサ２Ａのベース２０Ａの両側に配置される蓄電素子１のそれぞれの蓋板１０１と胴部１００ｂの他方の第二壁１００ｄとに当接する。
【００５３】
第三規制部２１２Ａ及び第四規制部２１３Ａは、内部スペーサ２Ａのベース２０Ａの第一面に隣り合う蓄電素子１と内部スペーサ２Ａのベース２０Ａの第二面に隣り合う蓄電素子１とに向かって延びる。
【００５４】
第三規制部２１２Ａは、内部スペーサ２Ａのベース２０Ａの両側に配置される蓄電素子１のそれぞれの閉塞部１００ａと、胴部１００ｂの一方の第二壁１００ｄとに当接する。そして、他方の第四規制部２１３Ａは、内部スペーサ２Ａのベース２０Ａの両側に配置される蓄電素子１の閉塞部１００ａと、胴部１００ｂの他方の第二壁１００ｄとに当接する。
【００５５】
内部スペーサ２Ａの対向部２２Ａは、隣り合う二つの蓄電素子１のそれぞれの閉塞部１００ａと対向する。内部スペーサ２Ａの対向部２２Ａは、内部スペーサ２Ａのベース２０Ａの第二端に沿って形成されている。すなわち、内部スペーサ２Ａの対向部２２Ａは、内部スペーサ２Ａのベース２０Ａの第三端から第四端に亘って連続して形成される。
【００５６】
本実施形態における内部スペーサ２Ａの対向部２２Ａは、蓄電素子１を介して隣り合う別の内部スペーサ２Ａの対向部２２Ａと当接する。そのため、二つの内部スペーサ２Ａの間に配置される蓄電素子１の閉塞部１００ａは、該二つの内部スペーサ２Ａのそれぞれの対向部２２Ａによって覆われている。
【００５７】
次に、外部スペーサ２Ｂについて説明する。外部スペーサ２Ｂは、蓄電素子１（ケース本体１００の第一壁１００ｃ）に対向する第一面及び該第一面とは反対側の第二面を有するベース（以下、ベースという）２０Ｂと、該ベース２０Ｂに隣り合う蓄電素子１の位置を決定する規制部（以下、規制部という）２１Ｂとを有する。
【００５８】
また、本実施形態に係る外部スペーサ２Ｂは、ベース２０Ｂと保持部材３の後述する終端部材３０とが対向する。すなわち、外部スペーサ２Ｂは、蓄電素子１と終端部材３０との間に配置される。
【００５９】
これに伴い、外部スペーサ２Ｂは、ベース２０Ｂの終端部材３０と対向する位置に、終端部材３０と嵌合する嵌合部２２Ｂを有する。すなわち、外部スペーサ２Ｂは、ベース２０Ｂに対する終端部材３０の位置を決定するための嵌合部２２Ｂであって、ベース２０Ｂの第二面に形成される嵌合部２２Ｂを有する。また、外部スペーサ２Ｂは、ベース２０Ｂに対する終端部材３０の位置を決定するための軸部２３Ｂであって、ベース２０Ｂの第二面から突出した軸部２３Ｂを有する。さらに、外部スペーサ２Ｂは、隣り合う蓄電素子１の閉塞部１００ａと対向する対向部２４Ｂを有する。
【００６０】
外部スペーサ２Ｂのベース２０Ｂは、Ｘ軸方向と直交するＹ軸方向及びＺ軸方向に広がっている。すなわち、ベース２０Ｂは、プレート状に形成される。外部スペーサ２Ｂのベース２０Ｂは、蓄電素子１の蓋板１０１に対応する位置に配置される第一端と、該第一端とは反対側の第二端であって、蓄電素子１の閉塞部１００ａに対応する位置に配置される第二端とを有する。また、外部スペーサ２Ｂのベース２０Ｂは、蓄電素子１の一方の第二壁１００ｄに対応する位置に配置される第三端と、該第三端とは反対側の第四端であって、蓄電素子１の他方の第二壁１００ｄに対応する位置に配置される第四端とを有する。
【００６１】
外部スペーサ２Ｂのベース２０Ｂは、第一端と第三端とが接続される部分である第一角部と、第一端と第四端とが接続される部分である第二角部とを有する。また、外部スペーサ２Ｂのベース２０Ｂは、第二端と第三端とが接続される部分である第三角部と、第二端と第四端とのそれぞれが接続される部分である第四角部とを有する。
【００６２】
なお、外部スペーサ２Ｂのベース２０Ｂの第一端及び第二端は、Ｙ軸方向に延びる。そして、外部スペーサ２Ｂのベース２０Ｂの第三端及び第四端は、前記Ｚ軸方向に直交する方向に延びる。そのため、外部スペーサ２Ｂのベース２０Ｂは、略矩形状である。また、外部スペーサ２Ｂのベース２０Ｂは、蓄電素子１の第一壁１００ｃと略同等の大きさである。
【００６３】
外部スペーサ２Ｂのベース２０Ｂの第一面には、該ベース２０Ｂの第一面と蓄電素子１との間に流体を通過させるための通風路（採番しない）が形成される。
【００６４】
より具体的に説明する。外部スペーサ２Ｂのベース２０Ｂは、当該ベース２０Ｂの第一面から蓄電素子１のケース１０（ケース本体１００の第一壁１００ｃ）に向かって延びる内部接触部２００Ｂを有する。
【００６５】
内部接触部２００Ｂは、Ｙ軸方向に長手をなしている。本実施形態に係る外部スペーサ２Ｂのベース２０Ｂは、複数の内部接触部２００Ｂを有する。そして、複数の内部接触部２００Ｂのそれぞれは、長手方向と直交する方向で互いに間隔をあけて配置される。これにより、外部スペーサ２Ｂのベース２０Ｂと蓄電素子１との間には、複数の通風路（採番しない）が形成される。
【００６６】
上述のように、外部スペーサ２Ｂの第一面は、蓄電素子１と隣り合う。規制部２１Ｂは、外部スペーサ２Ｂの第一面に隣り合う蓄電素子１の相対移動を規制すべく、外部スペーサ２Ｂのベース２０Ｂの第一面と隣り合う蓄電素子１に向かって延びる。
【００６７】
より具体的に説明する。外部スペーサ２Ｂは、規制部２１Ｂとして、ベース２０Ｂの第一端に形成される規制部２１Ｂと、ベース２０Ｂの第二端に形成される規制部２１Ｂとを有する。
【００６８】
外部スペーサ２Ｂは、規制部２１Ｂとして、第一角部に形成される第一規制部２１０Ｂと、第二角部に形成される第二規制部２１１Ｂと、第三角部に形成される第三規制部２１２Ｂ、第四角部に形成される第四規制部２１３Ｂとを有する。
【００６９】
上述のように、外部スペーサ２Ｂのベース２０Ｂの第一面は、蓄電素子１と対向する。そのため、第一規制部２１０Ｂ及び第二規制部２１１Ｂは、外部スペーサ２Ｂのベース２０Ｂの第一面と隣り合う蓄電素子１に向かって延びる。
【００７０】
第一規制部２１０Ｂは、外部スペーサ２Ｂのベース２０Ｂの第一面と隣り合う蓄電素子１の蓋板１０１の第一端と胴部１００ｂの第二壁１００ｄとに当接する。そして、第二規制部２１１Ｂは、外部スペーサ２Ｂのベース２０Ｂの第一面と隣り合う蓄電素子１の蓋板１０１の第二端と胴部１００ｂの第二壁１００ｄとに当接する。
【００７１】
上述のように、外部スペーサ２Ｂのベース２０Ｂの第一面は、蓄電素子１と対向する。そのため、第三規制部２１２Ｂ及び第四規制部２１３Ｂは、外部スペーサ２Ｂのベース２０Ｂの第一面と隣り合う蓄電素子１に向かって延びる。
【００７２】
第三規制部２１２Ｂは、外部スペーサ２Ｂのベース２０Ｂの第一面と隣り合う蓄電素子１の閉塞部１００ａの第一端と胴部１００ｂの第二壁１００ｄとに当接する。そして、第四規制部２１３Ｂは、外部スペーサ２Ｂのベース２０Ｂの第一面と隣り合う蓄電素子１の閉塞部１００ａの第二端と胴部１００ｂの第二壁１００ｄとに当接する。
【００７３】
軸部２３Ｂは、後述する終端部材３０の挿込穴３００ａに挿通される。
【００７４】
外部スペーサ２Ｂの対向部２４Ｂは、隣り合う蓄電素子１の閉塞部１００ａと対向する。外部スペーサ２Ｂの対向部２４Ｂは、外部スペーサ２Ｂのベース２０Ｂの第二端に沿って形成されている。すなわち、外部スペーサ２Ｂの対向部２４Ｂは、外部スペーサ２Ｂのベース２０Ｂの第三端から第四端に亘って連続して形成される。
【００７５】
本実施形態における外部スペーサ２Ｂの対向部２４Ｂは、蓄電素子１を介して隣り合う内部スペーサ２Ａの対向部２２Ａと当接する。そのため、内部スペーサ２Ａと外部スペーサ２Ｂとの間に配置される蓄電素子１の閉塞部１００ａは、内部スペーサ２Ａの対向部２２Ａと外部スペーサ２Ｂの対向部２４Ｂとによって覆われている。
【００７６】
本実施形態に係る外部スペーサ２Ｂは、上述のように、蓄電素子１を介して該内部スペーサ２Ａと隣り合うように配置される。すなわち、蓄電装置は、一対の外部スペーサ２Ｂを備える。外部スペーサ２Ｂは、複数の蓄電素子１のうちの最も端にある蓄電素子１に隣り合う。すなわち、外部スペーサ２Ｂは、整列する複数の蓄電素子１を挟み込むように一対設けられる。
【００７７】
また、一対の外部スペーサ２Ｂのそれぞれは、上述のように、第一面が蓄電素子１のケース本体１００と対向する。そのため、一対の外部スペーサ２Ｂのそれぞれは、互いの外部スペーサ２Ｂのベース２０Ｂの第一面が互いに向かい合うようにして配置されている。従って、蓄電装置において、一対の外部スペーサ２Ｂのそれぞれは、Ｘ軸方向において互いに対称となるように配置されている。
【００７８】
保持部材３は、上述のように、蓄電素子１及びスペーサ２をひとまとめに保持する。より具体的に説明する。保持部材３は、Ｘ軸方向で並ぶ複数の蓄電素子１を含む蓄電素子群５を保持する（図１参照）。なお、本実施形態では、複数の蓄電素子１と、隣り合う蓄電素子１間に配置される各スペーサ（内部スペーサ）２Ａとを蓄電素子群５として以下の説明を行う。
【００７９】
本実施形態において、保持部材３は、金属製である。保持部材３は、Ｘ軸方向における蓄電素子群５の両端を直接的または間接的に挟み込む一対の終端部材３０と、該一対の終端部材３０のそれぞれを連結するフレーム３１とを備える。さらに、保持部材３は、Ｘ軸方向における蓄電素子群５の両端に配置されている二つの蓄電素子１の間に配置されている少なくとも一つの蓄電素子１を支持する支持部３２を有する。
【００８０】
上述のように、蓄電装置は、複数の蓄電素子１のうち、Ｘ軸方向における両側に配置されている蓄電素子１（Ｘ軸方向における蓄電素子群５の両側に配置されている二つの蓄電素子１）に隣り合う外部スペーサ２Ｂを備える。そのため、一対の終端部材３０のそれぞれは、図４に示すように、各外部スペーサ２Ｂと隣り合う位置に配置される。
【００８１】
一対の終端部材３０のそれぞれは、外部スペーサ２Ｂと対向する第一面と、該第一面とは反対側の第二面とを有する。一対の終端部材３０のそれぞれは、外部スペーサ２Ｂに当接する圧接部３００を有する。
【００８２】
終端部材３０は、蓄電素子１の蓋板１０１と対応する位置に配置される第一端と、該第一端とは反対側の第二端（蓄電素子１の閉塞部１００ａと対応する位置に配置される第二端）とを有する。また、終端部材３０は、蓄電素子１の一方の第二壁１００ｄと対応する位置に配置される第三端と、該第三端とは反対側の第四端（蓄電素子１の他方の第二壁１００ｄと対応する位置に配置される第四端）とを有する。
【００８３】
これに伴い、終端部材３０は、第一端と第三端とが接続される部分である第一角部と、第一端と第四端とが接続される部分である第二角部とを有する。また、終端部材３０は、第二端と第三端とが接続される部分である第三角部と、第二端と第四端とのそれぞれが接続される部分である第四角部とを有する。
【００８４】
そして、圧接部３００は、外部スペーサ２Ｂの軸部２３Ｂに対応する位置に形成される挿込穴３００ａを有する。また、圧接部３００は、各角部のそれぞれに形成される複数（本実施形態では、四つ）の貫通穴３００ｂを有する。
【００８５】
フレーム３１は、一対の終端部材３０間に亘って延びる第一接続部３１０であって、蓄電素子１の蓋板１０１と対応する位置に配置される第一接続部３１０と、一対の終端部材３０間に亘って延びる第二接続部３１１であって、蓄電素子１の閉塞部１００ａと対応する位置に配置される第二接続部３１１とを有する。
【００８６】
また、フレーム３１は、第一接続部３１０と第二接続部３１１とに繋がる一対の架橋部３１２を有する。
【００８７】
本実施形態に係るフレーム３１は、第一接続部３１０と第二接続部３１１とに架橋部３１２が繋がることによって枠体状に形成される。これに伴い、本実施形態における蓄電装置では、Ｙ軸方向における蓄電素子の一方側に配置される第一接続部３１０、第二接続部３１１、架橋部３１２を有する部材を第一連結部材３１Ａとし、Ｙ軸方向における蓄電素子の他方側に配置される第一接続部３１０、第二接続部３１１、架橋部３１２を有する部材を第二連結部材３１Ｂとして以下の説明を行う場合がある。
【００８８】
そして、フレーム３１は、終端部材３０と連結される固定部３１３を有する。
【００８９】
第一接続部３１０は、長手をなす方向に第一端と該第一端とは反対側の第二端とを有する。
【００９０】
また、第一接続部３１０は、長手をなす方向と直交する方向に屈曲している。第一接続部３１０において、屈曲部分を境とする一方の部分は、蓄電素子１の蓋板１０１と対応する位置に配置される。第一接続部３１０において、屈曲部分を境とする他方は、蓄電素子１の第二壁１００ｄと対応する位置に配置される。
【００９１】
第二接続部３１１は、長手をなす方向に第一端と該第一端とは反対側の第二端とを有する。
【００９２】
第二接続部３１１は、長手をなす方向と直交する方向に屈曲している。そして、第二接続部３１１は、屈曲部分を境とする一方の部分が蓄電素子１の蓋板１０１と対応する位置に配置され、屈曲部分を境とする他方の部分が蓄電素子１の第二壁１００ｄと対応する位置に配置される。
【００９３】
架橋部３１２は、第一接続部３１０の第一端と第二接続部３１１の第一端とに繋がる第一架橋部３１２ａと、第一接続部３１０の第二端と第二接続部３１１の第二端とに繋がる第二架橋部３１２ｂとを有する。
【００９４】
固定部３１３は、一対の第一接続部３１０のそれぞれの第一端と第二端とに形成される一対の第一固定部３１３ａと、一対の第二接続部３１１のそれぞれの第一端と第二端とに形成される一対の第二固定部３１３ｂとを有する。
【００９５】
一方の第一固定部３１３ａは、一方の終端部材３０の貫通穴３００ｂ周りの部分と対向する。他方の第一固定部３１３ａは、他方の終端部材３０の貫通穴３００ｂ周りの部分と対向する。そして、一対の第一固定部３１３ａのそれぞれは、貫通穴３００ｂと対応する位置に第一穴部３１３ｃが形成されている。
【００９６】
そのため、第一接続部３１０は、終端部材３０の貫通穴３００ｂと、第一固定部３１３ａの第一穴部３１３ｃとに挿通したボルトにナットを螺合させることによって該終端部材３０に連結される。
【００９７】
一方の第二固定部３１３ｂは、一方の終端部材３０の貫通穴３００ｂ周りの部分と対向する。他方の第二固定部３１３ｂは、他方の終端部材３０の貫通穴３００ｂ周りの部分と対向する。そして、一対の第二固定部３１３ｂのそれぞれは、貫通穴３００ｂと対応する位置に第二穴部３１３ｄが形成されている。
【００９８】
そのため、第二接続部３１１は、終端部材３０の貫通穴３００ｂと、第二固定部３１３ｂの第二穴部３１３ｄとに挿通したボルトにナットを螺合させることによって該終端部材３０に連結される。
【００９９】
支持部３２は、蓄電素子１を直接的又は間接的に支持する。より具体的に説明する。支持部３２は、蓄電素子１に対して直接的又は間接的に接触している。本実施形態における支持部３２は、スペーサ２（内部スペーサ２Ａ）を介して蓄電素子１を支持する。
【０１００】
図６に示すように、支持部３２は、蓄電素子群５に含まれる蓄電素子１のうち、Ｘ軸方向における中央部に配置されている蓄電素子１を支持する。
【０１０１】
より具体的に説明する。支持部３２は、第二接続部３１１の長手方向における中央部から延出している。支持部３２は、第二接続部３１１からＹ軸方向に延出する。支持部３２は、第二接続部３１１に繋がる第一端部と、該第一端部とは反対側の第二端部とを有する。
【０１０２】
上述のように、支持部３２は、内部スペーサ２Ａを介して蓄電素子１を支持しており、内部スペーサ２Ａは、隣り合う二つの蓄電素子１のそれぞれの閉塞部１００ａと対向する対向部２２Ａを有する。
【０１０３】
そのため、支持部３２は、複数の内部スペーサ２ＡのうちのＸ軸方向における中央部に配置される内部スペーサ２Ａの対向部２２Ａを支持する。すなわち、支持部３２は、複数の内部スペーサ２ＡのうちのＸ軸方向における中央部に配置される内部スペーサ２Ａを介して、該内部スペーサ２Ａと隣り合う二つの蓄電素子１のそれぞれを支持する。
【０１０４】
さらに、支持部３２は、蓄電素子１を押圧するように構成されている。より具体的に説明する。支持部３２の第二端部は、第一端部よりも蓄電素子群５に近い位置に配置される。本実施形態において、支持部３２の第一端部は、Ｙ軸方向に真っ直ぐに延びる。そして、蓄電素子３２の第二端部は、蓄電素子１に向けて凸となるように湾曲している（図７参照）。そのため、蓄電装置は、支持部３２上に蓄電素子１が配置されると、支持部３２の第二端部が蓄電素子１を押圧するように構成されている。
【０１０５】
なお、図８に示すように、支持部３２のＸ軸方向における長さＬ１は、Ｘ軸方向における内部スペーサ２Ａの長さＬ２よりも小さくしてもよい。また、支持部３２のＸ軸方向における長さＬ１は、Ｘ軸方向における蓄電素子１（蓄電素子１の閉塞部１００ａ）の長さＬ３よりも大きくしてもよい。さらに、支持部３２は、剛性を有するように構成されることが好ましい。
【０１０６】
インシュレータ４は、絶縁性を有する材料で構成されている。そして、インシュレータ４は、第一接続部３１０と、スペーサ２（内部スペーサ２Ａ及び外部スペーサ２Ｂ）との間に配置される第一絶縁部４０と、第二接続部３１１とスペーサ２（内部スペーサ２Ａ及び外部スペーサ２Ｂ）との間に配置される第二絶縁部４１とを有する。
【０１０７】
インシュレータ４は、第一絶縁部４０と第二絶縁部４１とに繋がる第三絶縁部４２を有する。インシュレータ４は、第二絶縁部４１から延びる第四絶縁部４３を有する。
【０１０８】
第一絶縁部４０はＸ軸方向に長手をなす。第一絶縁部４０は、第一接続部３１０とスペーサ２とに挟まれている。すなわち、第一絶縁部４０は、長手方向と直交する方向に屈曲する。そして、第一絶縁部４０における、屈曲部分を境とする一方の部分は、第一接続部３１０の屈曲部分を境とする一方の部分と当接する。また、第一絶縁部４０における、屈曲部分を境とする他方の部分は、第一接続部３１０の屈曲部分を境とする他方の部分と当接する。
【０１０９】
第二絶縁部４１はＸ軸方向に長手をなす。第二絶縁部４１は、第二接続部３１１とスペーサ２とに挟まれている。すなわち、第二絶縁部４１は、長手をなす方向と直交する方向に屈曲する。そして、第二絶縁部４１における、屈曲部分を境とする一方の部分は、第二接続部３１１の屈曲部分を境とする一方の部分と当接する。第二絶縁部４１における、屈曲部分を境とする他方の部分は、第二接続部３１１の屈曲部分を境とする他方の部分と当接する。
【０１１０】
本実施形態に係るインシュレータ４は、二つの第三絶縁部４２を有する。より具体的に説明する。インシュレータ４では、第一絶縁部４０の第一端と第二絶縁部４１の第一端、及び第一絶縁部４０の第二端と第二絶縁部４１の第二端が第三絶縁部４２によって繋がれている。
【０１１１】
第四絶縁部４３は、フレーム３１の支持部３２に対応する位置に配置されている。
【０１１２】
以上のように、本実施形態に係る蓄電装置は、Ｘ軸方向における蓄電素子群５の両端が一対の終端部材３０に挟み込まれる。すなわち、蓄電装置では、Ｘ軸方向における蓄電素子群５の両端が一対の終端部材３０によって支持される。
【０１１３】
そのため、蓄電装置は、蓄電素子１の数が増加すると、Ｘ軸方向における蓄電素子群５の全長が長くなる。蓄電素子群５を支持している部分（本実施形態では、一対の終端部材３０）の間隔が広がる。
【０１１４】
その一方で、蓄電装置は、Ｘ軸方向における蓄電素子群５の両端に配置されている二つの蓄電素子１の間に配置されている少なくとも一つの蓄電素子１が支持部３２によって支持される。そのため、上記構成の蓄電装置は、蓄電素子群５を支持する部分の間隔を狭めることができる。従って、蓄電装置は、蓄電素子群５の共振周波数を高めることができるという優れた効果を奏し得る。
【０１１５】
また、支持部３２は、蓄電素子１に向けて凸となるように形成されているため、支持部３２が蓄電素子１に対して直接的又は間接的に接触し易くなる。従って、蓄電装置は、より確実に蓄電素子１を支持することができる。
【０１１６】
そして、支持部３２は、蓄電素子群５に含まれる蓄電素子１のうち、Ｘ軸方向における中央部に配置されている蓄電素子１を支持する。そのため、蓄電装置は、蓄電素子群５を支持している部分の間隔を均等又は略均等にすることができる。すなわち、蓄電装置は、終端部材３０と該終端部材３０と隣り合う支持部３２との間隔、及び支持部３２の間隔を均等又は略均等にすることができる。従って、上記の蓄電装置は、蓄電素子群５の共振周波数が局所的に変化することを防ぐことができる。
【０１１７】
さらに、本実施形態における蓄電装置では、第二接続部３１１からＹ軸方向に延出する部分を支持部３２としているため、簡単な構成で蓄電素子１を支持することができる。
【０１１８】
また、支持部３２は、内部スペーサ２Ａを介して二つの蓄電素子１を支持するため、一つの支持部３２によって二つの蓄電素子１を支持することができる。従って、蓄電装置は、蓄電素子群５の共振周波数をより確実に高めることができる。
【０１１９】
さらに、支持部３２は、蓄電素子１を押圧する。そのため、支持部３２が蓄電素子１に対して押圧力を作用させることで、蓄電素子１をより確実に支持することができる。従って、蓄電装置は、蓄電素子群５の共振周波数をより高めることができる。
【０１２０】
なお、本発明に係る蓄電装置は、上記一実施形態に限定されるものではなく、本発明の要旨を逸脱しない範囲において種々変更を行うことは勿論である。
【０１２１】
上記実施形態において、内部スペーサ２Ａのベース２０Ａは、略矩形状であり、また、蓄電素子１の第一壁１００ｃと略同等の大きさになっている。しかしながら、内部スペーサ２Ａのベース２０Ａは、隣り合う二つの蓄電素子１のそれぞれの姿勢を対応させることができれば、略矩形状であるものに限定されず、また、蓄電素子１の第一壁１００ｃと略同等の大きさであるものにも限定されない。
【０１２２】
上記実施形態において、内部スペーサ２Ａのベース２０Ａは、矩形波形状にすることによって、該ベース２０Ａと蓄電素子１との間に通風路を形成している。しかしながら、内部スペーサ２Ａのベース２０Ａは、第一面と蓄電素子１との間（第二面と蓄電素子１との間）に流体を通過させることができれば、ベース２０Ａの形状が矩形波形状であるものに限定されない。また、内部スペーサ２Ａのベース２０Ａと蓄電素子１との間に通風路を形成する必要がない場合、内部スペーサ２Ａのベース２０Ａは、平板状に形成されていてもよい。
【０１２３】
上記実施形態において、内部スペーサ２Ａの各規制部２１Ａは、ベース２０Ａの角部のそれぞれに形成されている。しかしながら、内部スペーサ２Ａの規制部２１Ａは、ベース２０Ａに対する蓄電素子１の位置を決定することができれば、ベース２０Ａに形成される位置が限定されるものではない。
【０１２４】
上記実施形態において、外部スペーサ２Ｂのベース２０Ｂは、略矩形状であり、且つ蓄電素子１の第一壁１００ｃと略同等の大きさである。しかしながら、ベース２０Ｂは、隣り合う蓄電素子１の姿勢と終端部材３０の姿勢とを対応させることができれば、ベース２０Ｂは、略矩形状に形成されているものに限定されず、また、蓄電素子１の第一壁１００ｃと略同等の大きさで形成されているものにも限定されない。
【０１２５】
上記実施形態において、外部スペーサ２Ｂは、ベース２０Ｂの角部のそれぞれに規制部２１Ｂが形成されている。しかしながら、規制部２１Ｂは、ベース２０Ｂに対して蓄電素子１を配置する位置を決定することができれば、ベース２０Ｂに形成される位置が限定されるものではない。
【０１２６】
上記実施形態において、蓄電装置は、蓄電素子１と、該蓄電素子１に隣り合うスペーサ２とを備えていたが、これに限定されるものではなく、例えば、蓄電素子１が互いに隣り合うようにしてもよい。
【０１２７】
上記実施形態において、支持部３２は、二つの蓄電素子１を支持するように構成されていたが、これに限定されるものではなく、例えば、支持部３２は、一つの蓄電素子１を支持するようにしたり、三つ以上の蓄電素子１を支持するようにしてもよい。
【０１２８】
上記実施形態において、支持部３２は、第二接続部３１１の長手方向における中央部から延出していたが、これに限定されるものではなく、例えば、支持部３２は、第二接続部３１１の長手方向における中央部からずれた位置から延出していてもよい。
【０１２９】
上記実施形態において、フレーム３１は、一つの第二接続部３１１から一つの支持部３２が延出していたが、これに限定されるものではなく、例えば、図８に示すように、フレーム３１は、一つの第二接続部３１１から二つ以上の支持部３２が延出していてもよい（図８には、一つの第二接続部３１１から二つの支持部３２が延出しているフレーム３１を図示している）
【０１３０】
上記実施形態において、支持部３２は、支持部３２は、スペーサ２の対向部２２Ａを介して蓄電素子１を支持するようになっていたが、これに限定されるものではなく、例えば、スペーサ２を介さずに蓄電素子１（蓄電素子１の閉塞部１００ａ）を支持するようにしてもよい。
【０１３１】
上記実施形態において、支持部３２は、剛性を有することが好ましいと説明したが、これに限定されるものではなく、例えば、支持部３２は、弾性を有するようにしてもよい。
【０１３２】
蓄電装置を組み立てるにあたり、支持部３２上には、蓄電素子１が配置される。このとき、蓄電素子１を支持部３２に押し付けると、該支持部３２が蓄電素子１から受ける力に応じて撓む。
【０１３３】
従って、支持部３２が弾性を有する場合、蓄電装置を組み立てるにあたり、蓄電素子１を既定の位置に配置し難くなることを防ぐことができる。また、支持部３２が撓んだ場合、該支持部３２は、蓄電素子１を押圧しながら支持することができる。
【０１３４】
上記実施形態において、保持部材３は、終端部材３０とフレーム３１とを備えていたが、これに限定されるものではない。例えば、保持部材３は、フレーム３１が終端部材３０を兼ねる場合（すなわち、フレーム３１がＸ軸方向における両端に配置されるスペーサ２（本実施形態では、外部スペーサ２Ｂ）に固定される場合）、終端部材３０を備えていなくてもよい。
【０１３５】
上記実施形態において、支持部３２は、蓄電素子１の閉塞部１００ａを間接的に支持していたが、これに限定されるものではない。例えば、支持部３２は、蓄電素子１の胴部１００ｂを直接的又は間接的に支持してもよい。また、蓄電素子群５の共振周波数の低下を抑制するという観点からすれば、支持部３２は、蓄電素子１を重力方向において下方から支持しても良いし、重力方向と直交する方向から支持してもよい。
【０１３６】
上記実施形態において、支持部３２は、第二端部が第一端部よりも蓄電素子群５に近い位置に配置されるように形成されていたが、これに限定されるものではなく、例えば、支持部３２は、支持部３２は、第一端から第二端に亘ってＹ軸方向に真っ直ぐに延びるように形成されていても良い。
【０１３７】
また、上記実施形態において、支持部３２は、第二端部が蓄電素子１に向けて凸となるように湾曲させることによって、第二端部が第一端部よりも蓄電素子群５に近い位置に配置されるようになっていたが、これに限定されるものではなく、例えば、支持部３２は、第一端部から第二端部になるにつれて蓄電素子群５に近付くように形成されていても良い。すなわち、支持部３２は、第二接続部３１１からＸ軸方向及びＹ軸方向のそれぞれに対して交差する方向に延出するように形成されていてもよい。
【０１３８】
上記実施形態において、支持部３２は、蓄電素子１を直接的又は間接的に支持するように構成されていたが、これに限定されるものではなく、例えば、支持部３２は、蓄電素子１を直接的又は間接的に支持可能に構成されていてもよい。
【０１３９】
より具体的に説明する。支持部３２は、例えば、Ｚ軸方向で内部スペーサ２Ａの対向部２２Ａと間隔をあけて配置されるように構成されていてもよい。このようにすれば、蓄電素子群５に振動が加わった場合に、支持部３２が内部スペーサ２Ａの対向部２２Ａに接触し、該支持部３２によって蓄電素子１が間接的に支持される。
【０１４０】
このように、蓄電装置において、支持部３２は、常に蓄電素子１に直接的又は間接的に接触している必要はなく、蓄電素子群５に振動が加わった場合に支持部３２が蓄電素子に直接的又は間接的に接触するように構成されていれば、支持部３２によって蓄電素子群５の共振周波数を高めることができる。
【符号の説明】
【０１４１】
１…蓄電素子、２…スペーサ、２Ａ…内部スペーサ、２Ｂ…外部スペーサ、３…保持部材、４…インシュレータ、５…蓄電素子群、１０…ケース、１１…外部端子、２０Ａ…内部スペーサのベース、２０Ｂ…外部スペーサのベース、２１Ａ…内部スペーサの規制部、２１Ｂ…外部スペーサの規制部、２２Ａ…内部スペーサの対向部、２２Ｂ…嵌合部、２３Ｂ…軸部、２４Ｂ…外部スペーサの対向部、３０…終端部材、３１…フレーム、３１Ａ…第一連結部材、３１Ｂ…第二連結部材、３２…支持部、４０…第一絶縁部、４１…第二絶縁部、４２…第三絶縁部、４３…第四絶縁部、１００…ケース本体、１００ａ…閉塞部、１００ｂ…胴部、１００ｃ…第一壁、１００ｄ…第二壁、１０１…蓋板、２００Ａ…第一当接部、２００Ｂ…内部接触部、２０１Ａ…第二当接部、２０２Ａ…連設部、２１０Ａ…内部スペーサの第一規制部、２１０Ｂ…外部スペーサの第一規制部、２１１Ａ…内部スペーサの第二規制部、２１１Ｂ…外部スペーサの第二規制部、２１２Ａ…内部スペーサの第三規制部、２１２Ｂ…外部スペーサの第三規制部、２１３Ａ…内部スペーサの第四規制部、２１３Ｂ…外部スペーサの第四規制部、３００…圧接部、３００ａ…挿込穴、３００ｂ…貫通穴、３１０…第一接続部、３１１…第二接続部、３１２…架橋部、３１２ａ…第一架橋部、３１２ｂ…第二架橋部、３１３…固定部、３１３ａ…第一固定部、３１３ｂ…第二固定部、３１３ｃ…第一穴部、３１３ｄ…第二穴部
【図１】
0006363418.tif 000002
【図２】
0006363418.tif 000003
【図３】
0006363418.tif 000004
【図４】
0006363418.tif 000005
【図５】
0006363418.tif 000006
【図６】
0006363418.tif 000007
【図７】
0006363418.tif 000008
【図８】
0006363418.tif 000009
【図９】
0006363418.tif 000010